(57)【要約】【課題】設備の識別情報が設備に対応付けして示される設備マップを自動的に生成する。【解決手段】見取図に記載されている部屋名及び見取図上における当該部屋名の記載位置を抽出して部屋名座標情報を生成する部屋名座標抽出部１２と、見取図に示されている各設備の設備画像に基づき見取図上における各設備の設置位置を抽出して設備座標情報を生成する設備座標抽出部１３と、部屋名座標情報、設備座標情報及び建物の各設備の設置場所と当該設備種と当該設備の識別番号とが対応付けされた設備表を参照して、見取り図上の部屋名に最近の設備を特定し、その特定した設置の識別番号を取得することによって当該設備の設置位置と識別番号とを対応付けて設備マップを生成する設備マップ生成部１４と、有する。【選択図】図１
2019133259.tif 000002
【特許請求の範囲】
【請求項１】
建物の見取図に記載され当該建物内における場所を示す名称及び前記見取図上における当該名称の記載位置を抽出する名称位置抽出手段と、
前記見取図に示されている各設備の設備画像に基づき前記見取図上における各設備の設置位置を抽出する設備位置抽出手段と、
前記建物の各設備の設置場所を示す名称と当該設備の識別情報とを対応付けして含む設備情報を取得する取得手段と、
前記設備位置抽出手段により設置位置が抽出された設備と、前記名称位置抽出手段により記載位置が抽出された名称と、の位置関係に基づき、前記設備情報に含まれている設備の識別情報の中から、前記設備位置抽出手段により設置位置が抽出された各設備に対応付ける識別情報を特定することによって、前記建物に設置されている各設備の識別情報が示された設備マップを生成する生成手段と、
を有することを特徴とする設備マップ生成装置。
【請求項２】
前記生成手段は、前記設備情報に含まれている名称に１つの識別情報が対応付けられている場合、前記設備位置抽出手段により設置位置が抽出された設備の中から、前記名称位置抽出手段により抽出された記載位置であって前記設備情報に含まれている名称と同名の名称の記載位置に最近の設備を抽出し、その抽出した設備の設置位置に、前記設備情報において当該名称に対応付けられている識別情報を対応付けることによって設備マップを生成することを特徴とする請求項１に記載の設備マップ生成装置。
【請求項３】
前記生成手段は、前記設備情報に含まれている名称にｎ（ｎは２以上の整数）の識別情報が対応付けられている場合、前記設備位置抽出手段により設置位置が抽出された設備の中から、前記名称位置抽出手段により抽出された記載位置であって前記設備情報に含まれている名称と同名の名称の記載位置に近い方からｎ個の設備を抽出し、その抽出したｎ個の設備の設置位置を参照に、抽出したｎ個の設備の設置位置それぞれに対応付ける識別情報を決定することを特徴とする請求項１に記載の設備マップ生成装置。
【請求項４】
前記設備情報には、設備の設置場所を示す名称及び当該設備の識別情報に、当該設備の種類が対応付けられており、
前記見取図には、設備の種類毎に異なる設備画像が示されており、
前記設備位置抽出手段は、各設備の設置位置に加えて当該設備の種類を抽出する、
ことを特徴とする請求項１に記載の設備マップ生成装置。
【請求項５】
前記生成手段により生成された設備マップを編集する編集手段を有することを特徴とする請求項１に記載の設備マップ生成装置。
【請求項６】
コンピュータを、
建物の見取図に記載され当該建物内における場所を示す名称及び前記見取図上における当該名称の記載位置を抽出する名称位置抽出手段、
前記見取図に示されている各設備の設備画像に基づき前記見取図上における各設備の設置位置を抽出する設備位置抽出手段、
前記建物の各設備の設置場所を示す名称と当該設備の識別情報とを対応付けして含む設備情報を取得する取得手段、
前記設備位置抽出手段により設置位置が抽出された設備と、前記名称位置抽出手段により記載位置が抽出された名称と、の位置関係に基づき、前記設備情報に含まれている設備の識別情報の中から、前記設備位置抽出手段により設置位置が抽出された各設備に対応付ける識別情報を特定することによって、前記建物に設置されている各設備の識別情報が示された設備マップを生成する生成手段、
として機能させるためのプログラム。
【発明の詳細な説明】
【技術分野】
【０００１】
本発明は、設備マップ生成装置及びプログラム、特に設備マップ生成装置の自動生成に関する。
【背景技術】
【０００２】
ビル等の建物内の設備を管理する業務において、管理対象となる空調や照明等の設備を巡回点検するためにも、各設備の設置場所を把握しておく必要がある。例えば、空調機（室内機）の場合、空調機の設置場所だけでなく、どの空調機を点検したか、あるいは異常が検出されたかを特定するために、空調機という設備種だけでなく各空調機を識別できるようにするのが望まれる。
【０００３】
建物における各設備の設置状況を表す平面図（見取図）は、一般にフロア毎に用意されていて、その見取図には、前述したように各設備の設置場所は描画されている。ただ、各空調機には、それぞれを識別するための識別番号（空調機の略称）が割り振られているが、見取図には、その識別番号は記載されていない。
【０００４】
従って、識別番号が記載されている空調系統図を参照しながら見取図に識別番号を記入することによって設備の循環点検に利用しやすい設備マップという図面を生成していた。
【０００５】
従来では、平面図と設備の識別番号が記載されている設備表を画面に表示しておき、平面図上における設備と、設備表に記載されている設備の識別番号とを紐付けることによって上記設備マップを生成する技術が提案されている（例えば、特許文献１）。
【先行技術文献】
【特許文献】
【０００６】
【特許文献１】特開平０６−２７４１０２号公報
【特許文献２】特開平０２−０２５９７８号公報
【特許文献３】特開２００２−３４２３８４号公報
【特許文献４】特開平０５−３１４１９８号公報
【特許文献５】特開２０１３−１４５２９９号公報
【発明の概要】
【発明が解決しようとする課題】
【０００７】
しかしながら、建物の規模が大きいと、設備と識別番号との対応付けにかかる作業負荷が膨大となる。
【０００８】
本発明は、設備の識別情報が設備に対応付けして示される設備マップを自動的に生成することを目的とする。
【課題を解決するための手段】
【０００９】
本発明に係る設備マップ生成装置は、建物の見取図に記載され当該建物内における場所を示す名称及び前記見取図上における当該名称の記載位置を抽出する名称位置抽出手段と、前記見取図に示されている各設備の設備画像に基づき前記見取図上における各設備の設置位置を抽出する設備位置抽出手段と、前記建物の各設備の設置場所を示す名称と当該設備の識別情報とを対応付けして含む設備情報を取得する取得手段と、前記設備位置抽出手段により設置位置が抽出された設備と、前記名称位置抽出手段により記載位置が抽出された名称と、の位置関係に基づき、前記設備情報に含まれている設備の識別情報の中から、前記設備位置抽出手段により設置位置が抽出された各設備に対応付ける識別情報を特定することによって、前記建物に設置されている各設備の識別情報が示された設備マップを生成する生成手段と、を有するものである。
【００１０】
また、前記生成手段は、前記設備情報に含まれている名称に１つの識別情報が対応付けられている場合、前記設備位置抽出手段により設置位置が抽出された設備の中から、前記名称位置抽出手段により抽出された記載位置であって前記設備情報に含まれている名称と同名の名称の記載位置に最近の設備を抽出し、その抽出した設備の設置位置に、前記設備情報において当該名称に対応付けられている識別情報を対応付けることによって設備マップを生成するものである。
【００１１】
また、前記生成手段は、前記設備情報に含まれている名称にｎ（ｎは２以上の整数）の識別情報が対応付けられている場合、前記設備位置抽出手段により設置位置が抽出された設備の中から、前記名称位置抽出手段により抽出された記載位置であって前記設備情報に含まれている名称と同名の名称の記載位置に近い方からｎ個の設備を抽出し、その抽出したｎ個の設備の設置位置を参照に、抽出したｎ個の設備の設置位置それぞれに対応付ける識別情報を決定するものである。
【００１２】
また、前記設備情報には、設備の設置場所を示す名称及び当該設備の識別情報に、当該設備の種類が対応付けられており、前記見取図には、設備の種類毎に異なる設備画像が示されており、前記設備位置抽出手段は、各設備の設置位置に加えて当該設備の種類を抽出するものである。
【００１３】
また、前記生成手段により生成された設備マップを編集する編集手段を有するものである。
【００１４】
本発明に係るプログラムは、コンピュータを、建物の見取図に記載され当該建物内における場所を示す名称及び前記見取図上における当該名称の記載位置を抽出する名称位置抽出手段、前記見取図に示されている各設備の設備画像に基づき前記見取図上における各設備の設置位置を抽出する設備位置抽出手段、前記建物の各設備の設置場所を示す名称と当該設備の識別情報とを対応付けして含む設備情報を取得する取得手段、前記設備位置抽出手段により設置位置が抽出された設備と、前記名称位置抽出手段により記載位置が抽出された名称と、の位置関係に基づき、前記設備情報に含まれている設備の識別情報の中から、前記設備位置抽出手段により設置位置が抽出された各設備に対応付ける識別情報を特定することによって、前記建物に設置されている各設備の識別情報が示された設備マップを生成する生成手段、として機能させるためのものである。
【発明の効果】
【００１５】
本発明によれば、設備の識別情報が設備に対応付けして示される設備マップを自動的に生成することができる。
【００１６】
また、自動生成した設備マップに不具合が含まれている場合でも、編集により不具合を解消させることができる。
【図面の簡単な説明】
【００１７】
【図１】本実施の形態において設備マップを自動生成するためのシステムの全体構成及びブロック構成を示す図である。
【図２】本実施の形態における設備マップ生成装置を形成するコンピュータのハードウェア構成図である。
【図３】本実施の形態において用いる見取図の一例を示す図である。
【図４】本実施の形態における設備表記憶部に記憶される設備表のデータ構成例を示す図である。
【図５】本実施の形態における設備画像情報記憶部に記憶される設備画像情報のデータ構成例を示す図である。
【図６】本実施の形態における設備マップ生成処理を示すフローチャートである。
【図７】本実施の形態における部屋名座標情報記憶部に記憶される部屋名座標情報のデータ構成例を示す図である。
【図８】本実施の形態における設備座標情報記憶部に記憶される設備座標情報のデータ構成例を示す図である。
【図９】図３に示した見取図の部屋名及び空調機の一部に座標を書き込んで示す参考図である。
【図１０】本実施の形態において生成された設備マップの表示例を示す図である。
【発明を実施するための形態】
【００１８】
以下、図面に基づいて、本発明の好適な実施の形態について説明する。
【００１９】
図１は、本実施の形態において設備マップを自動生成するためのシステムの全体構成及びブロック構成を示す図である。図１には、本実施の形態における設備マップ生成装置１と設備管理システム２とがネットワーク３で接続された構成が示されている。設備管理システム２は、建物（施設）に設置されている空調設備や照明設備等各種設備の管理を行うために構築されたシステムであり、１又は複数のコンピュータで形成される。設備マップ生成装置１は、設備マップを生成するために設けられた装置である。設備マップ生成装置１及び設備管理システム２は、建物内に設置されても設備の監視を行うサービスセンタ等に設置されていてもよい。
【００２０】
図２は、本実施の形態における設備マップ生成装置１を形成するコンピュータのハードウェア構成図である。本実施の形態において設備マップ生成装置１は、パーソナルコンピュータ（ＰＣ）等、従前から存在する汎用的なハードウェア構成で実現できる。すなわち、設備マップ生成装置１は、図２に示したようにＣＰＵ３１、ＲＯＭ３２、ＲＡＭ３３、ハードディスクドライブ（ＨＤＤ）３４、入力手段として設けられたマウス３５とキーボード３６、及び表示手段として設けられたディスプレイ３７をそれぞれ接続する入出力コントローラ３８、通信手段として設けられたネットワークインタフェース（ＩＦ）３９を内部バス４０に接続して構成される。設備管理システム２も同様にコンピュータで形成されること、そのハードウェア構成は、図２と同じように図示することができる。
【００２１】
図１に戻り、設備管理システム２は、見取図記憶部２１、設備表記憶部２２及び設備画像情報記憶部２３を有している。なお、本実施の形態の説明に用いない構成要素については、図から省略している。
【００２２】
見取図記憶部２１には、建物の見取図が記憶されている。見取図の一例を図３に示す。見取図は、建物の立体の全体像がわかるように、見た様子を平面上に描画して形成される。見取図は、電子化されて見取図記憶部２１に格納される。図３には、建物のあるフロアの見取図である。なお、建物には、空調機以外にも種々の設備が設置されており、それら各設備の種類に対応したアイコン画像が見取図に描画されることになるが、本実施の形態では、説明の便宜上、処理対象とする設備として空調機を代表して説明する。そのために、図３に示す見取図では、空調機以外の設備を省略している。
【００２３】
図４は、本実施の形態における設備表記憶部２２に予め設定登録される設備表のデータ構成例を示す図である。設備表には、建物の各設備の設置場所を示す名称と、当該設備の種類（以下、「設備種」という）と当該設備の識別番号とが対応付けして生成された設備情報が設定される。図４における“ホワイエ”などのように、その場所に複数の設備が設置されている場合は、その設置場所に対して複数の識別番号が登録される。なお、図４には、説明の便宜上、設備種として“空調機”の設定例しか示していないが、その他にも同じ空調設備として“ロスナイ”や異なる設備である“照明”等が設定される。識別番号は、当該設備を識別する識別情報の一例である。
【００２４】
図５は、本実施の形態における設備画像情報記憶部２３に予め設定登録される設備画像情報のデータ構成例を示す図である。設備画像情報には、各設備の設備画像が登録されている。見取図を生成する際、建物内に設置される設備の設備種に該当する設備画像（「アイコン画像」ともいう）を設備画像情報記憶部２３から読み出し、見取図上の該当する設置場所に配置することで、その設備の設置位置は示されることになる。
【００２５】
本実施の形態における設備マップ生成装置１は、見取図取得部１１、部屋名座標抽出部１２、設備座標抽出部１３、設備マップ生成部１４、編集部１５、設備マップ出力部１６、部屋名座標情報記憶部１７、設備座標情報記憶部１８及び設備マップ記憶部１９を有している。なお、本実施の形態の説明に用いない構成要素については、図から省略している。
【００２６】
見取図取得部１１は、設備管理システム２から見取図を取得する。部屋名座標抽出部１２は、見取図に記載されている部屋名及び見取図上における当該部屋名の記載位置を抽出し、その抽出した情報を含む部屋名座標情報を部屋名座標情報記憶部１７に保存する。なお、図３に例示した見取図のように、厳密には、部屋以外にも建物内の場所を示す情報として、エレベーター乗場や廊下等が記載されているが、本実施の形態では、「部屋名」と総称して説明する。設備座標抽出部１３は、見取図に示されている各設備の設備画像に基づき見取図上における各設備の設置位置を抽出し、その抽出した情報を含む設備座標情報を設備座標情報記憶部１８に保存する。設備マップ生成部１４は、部屋名座標情報、設備座標情報及び設備表に設定されている情報を参照して設備マップを生成し、設備マップ記憶部１９に保存する。編集部１５は、設備マップ生成部１４により生成された設備マップを編集する。設備マップ出力部１６は、設備マップ生成部１４により生成された設備マップ、又は編集部１５による編集後の設備マップを出力する。なお、部屋名座標情報記憶部１７、設備座標情報記憶部１８及び設備マップ記憶部１９が保存する情報は、設備マップを生成する処理の過程において生成されるので処理の説明と合わせて説明する。
【００２７】
設備マップ生成装置１における各構成要素１１〜１６は、設備マップ生成装置１を形成するコンピュータと、コンピュータに搭載されたＣＰＵ３１で動作するプログラムとの協調動作により実現される。また、各記憶部１７〜１９は、設備マップ生成装置１に搭載されたＨＤＤ３４にて実現される。あるいは、ＲＡＭ３３又は外部にある記憶手段をネットワーク経由で利用してもよい。
【００２８】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵ３１がプログラムを順次実行することで各種処理が実現される。
【００２９】
前述したように、見取図には、設備の設置位置にその設備のアイコン画像が描画されている。建物内の設備を巡回点検する際には、どの空調機を点検したか、あるいは異常が検出されたかを特定するために、各設備を識別できる平面図を利用するのが望まれる。そこで、本実施の形態では、見取り図から、設備の設置位置に当該設備の識別情報を対応付けして記載された設備マップを自動生成できるようにしたことを特徴としている。このように、「設備マップ」というのは、設備の識別情報を設備の設置位置に対応付けして記載することで設備を個々に識別できるようにした平面図のことをいう。
【００３０】
設備マップを生成したいフロアが指定されると、見取図取得部１１は、そのフロアの見取図を設備管理システム２から取得する。本実施の形態では、設備管理システム２から電子化された見取図を取得するようにするが、設備管理システム２から取得せずに設備マップ生成装置１が自ら見取図の電子化を行うことで電子化された見取図を取得するようにしてもよい。以下、本実施の形態において、設備マップを生成する処理について図６に示すフローチャートを用いて説明する。
【００３１】
部屋名座標抽出部１２は、見取図に記載されている部屋名及び見取図上における当該部屋名の記載位置を抽出し、その抽出した情報を含む部屋名座標情報を生成する（ステップ１１１）。具体的には、見取図を例えば左上から横方向に、そして右下までラスタスキャンし文字認識処理を行うことで、見取図に記載されている部屋名を抽出する。なお、厳密には、部屋名は描画により形成されているが、本実施の形態では、文字列であることから便宜的に「記載」という表現を用いることにしている。そして、見取り図上における部屋名の記載位置として、見取図の所定の位置（例えば、左上の角）を原点とした２次元座標で表現した場合、抽出した部屋名を囲む領域の座標データ、例えば、領域の左上角の座標データを取得する。本実施の形態では、説明の簡略のために部屋名を囲む領域を部屋名の文字数に関係なく固定の大きさとしたが、文字数に応じて領域の大きさを可変としてもよい。つまり、抽出した文字列（部屋名）の外縁を囲む矩形形状の枠を領域としてしてもよい。また、部屋名の設置位置を示す点は、左上角ではなく、中心点等他の箇所としてもよい。
【００３２】
以上のようにして、部屋名座標抽出部１２は、見取図から部屋名を抽出し、その抽出した部屋名の座標データを得ると、部屋名に当該部屋名の座標データを対応付けして部屋名座標情報を生成して部屋名座標情報記憶部１７に登録する。このようにして部屋名座標情報記憶部１７に登録される部屋名座標情報のデータ構成例を図７に示す。
【００３３】
続いて、設備座標抽出部１３は、見取図に示されている各設備の設備画像に基づき見取図上における各設備の設置位置を抽出し、その抽出した情報を含む設備座標情報を生成する（ステップ１１２）。具体的には、設備座標抽出部１３は、各設備のアイコン画像を設備管理システム２から取得する。なお、設備マップ生成装置１が設備画像情報を内部に保持してもよい。あるいは、見取図には、設備のアイコン画像の範例が示されているので、見取図から取得してもよい。そして、見取図を例えば左上から横方向に、そして右下までラスタスキャンし画像処理を行い、取得したアイコン画像と照合することで見取図に描画されているアイコン画像を抽出する。アイコン画像を抽出した位置が建物における設備の設置位置に相当するが、見取り図上における設備の記載位置として、部屋名を抽出したときと同じ２次元座標上において、抽出したアイコン画像の座標データ、例えば、アイコン画像の左上角の座標データを取得する。もちろん、部屋名の場合と同様に、設備の設置位置を示す点は、左上角ではなく、中心点等他の箇所としてもよい。
【００３４】
以上のようにして、設備座標抽出部１３は、見取図から設備のアイコン画像を抽出し、その抽出したアイコン画像の座標データを得ると、アイコン画像に対応する設備種に当該設備の座標データを対応付けして設備座標情報を生成して設備座標情報記憶部１８に登録する。このようにして設備座標情報記憶部１８に登録される設備座標情報のデータ構成例を図８に示す。
【００３５】
なお、部屋名座標情報及び設備座標情報の生成は、逆の順番で処理してもよいし、並行して処理してもよい。
【００３６】
部屋名座標情報及び設備座標情報が生成されると、設備マップ生成部１４は、設備表を設備管理システム２から取得する。そして、設備表を参照して以下の処理を行う。すなわち、設備マップ生成部１４は、設備表に登録されている設備の設置場所を読み出す（ステップ１１３）。本実施の形態では、全ての設置場所に対して以下に説明する処理を繰り返し行うことになるので（ステップ１１４でＮ）、未処理の設置場所を処理対象として順次読み出すことになる。ここでは、“廊下”を読み出したときの処理について説明すると、設備表を参照して“廊下”の設備種を読み出す（ステップ１１５）。図４に示す設定例によると“空調機”を読み出すことになるが（ステップ１１６でＮ）、設備マップ生成部１４は、続けて“廊下”における設備（“空調機”）に対応する識別番号“ＡＣ−３”を読み出す（ステップ１１７）。なお、ここで読み出される識別番号は、“ＡＣ−３”の１つ（ｎ＝１）のみである。
【００３７】
続いて、設備マップ生成部１４は、部屋名座標情報を参照して設置場所“廊下”と同名の部屋名の座標を取得する（ステップ１１８）。図７に示す設定例によると、部屋名“廊下”に対応する座標（ｘ９，ｙ９）を取得する。また、見取図に表示されることのない座標を書き込んだ参考図を図９に示す。
【００３８】
続いて、設備マップ生成部１４は、設備座標情報における当該設備（“空調機”）の中から部屋名の位置（座標（ｘ９，ｙ９））に最も近い設備の座標を抽出する（ステップ１１９）。“廊下”の“空調機”には、１つの識別番号“ＡＣ−３”しかないので、図９に示すように“空調機”の座標（ｘ５４，ｙ５４）が抽出されることになる。
【００３９】
このようにして、設備マップ生成部１４は、抽出した“空調機”の座標（ｘ５４，ｙ５４）と識別番号“ＡＣ−３”とを対応付ける（ステップ１２０）。なお、対応付けた設備の座標及び識別番号は後段の処理の対象外とし、処理の高速化を図るようにしてもよい。
【００４０】
設置場所“廊下”に関しては、“空調機”以外の設備種は設備表に登録されていないので（ステップ１１６でＹ）、次の未処理の設置場所に処理を移行する。
【００４１】
設備マップ生成部１４は、設備表に登録されている設備の設置場所を読み出す（ステップ１１３）。ここでは、“ホワイエ” を読み出したときの処理について説明すると、“ホワイエ”には２台の空調機が設置されていることがわかる。続いて、設備マップ生成部１４は、設備表を参照して“ホワイエ”の設備種を読み出す（ステップ１１５）。図４に示す設定例によると“空調機”を読み出すことになるので（ステップ１１６でＮ）、“ホワイエ”における設備（“空調機”）に対応する識別番号“ＡＣ−１”及び“ＡＣ−２”を読み出すことになる（ステップ１１７）。このように設備箇所によって複数の識別番号が読み出される場合がある。
【００４２】
続いて、設備マップ生成部１４は、部屋名座標情報を参照して設置場所“ホワイエ”と同名の部屋名の座標を取得する（ステップ１１８）。図７に示す設定例によると、部屋名“ホワイエ”に対応する座標（ｘ４，ｙ４）を取得する。
【００４３】
そして、設備マップ生成部１４は、設備座標情報における当該設備（“空調機”）の中から部屋名の位置（座標（ｘ４，ｙ４））に近い方からｎ（ここでは、ｎ＝２）個の設備の座標を抽出する（ステップ１１９）。図９に示す参考図によると、“空調機”の座標（ｘ５１，ｙ５１）及び（ｘ５２，ｙ５２）が抽出されることになる。ここで、“ホワイエ”の“空調機”には、２つの識別番号“ＡＣ−１”，“ＡＣ−２”が読み出されているので、座標（ｘ５１，ｙ５１）に対応する空調機の識別番号は、“ＡＣ−１”であるのか“ＡＣ−２”であるのか、この時点では特定できない。
【００４４】
そこで、本実施の形態では、抽出した設備の設置位置、つまり“空調機”の座標（ｘ５１，ｙ５１）及び（ｘ５２，ｙ５２）を参照して自動的に対応付けるようにした。
【００４５】
前述したように、本実施の形態では、見取図を左上から横方向に、そして右下までラスタスキャンしてアイコン画像を抽出するようにした。つまり、座標（ｘ５１，ｙ５１）に対応する空調機が先に位置が特定される。ところで、設備表からわかるように、本実施の形態では、同じ設備種に対して連番を付けることで識別番号を生成している。また、同じフロアにおいて、見取図を左上から横方向に、そして右下まで捜査した場合、先に検知できる空調機から順番に連番を付けるという命名規則に従って識別番号を付けている。このような条件の下では、座標（ｘ５１，ｙ５１）に対応する空調機に対応する識別番号は、“ＡＣ−１”と特定できる。設備マップ生成部１４は、このような命名規則とアイコン画像の座標とに基づき１つの部屋にある空調機に対して識別番号を対応付ける（ステップ１２０）。すなわち、ホワイエにおいては、座標（ｘ５１，ｙ５１）に対応する空調機の識別番号は“ＡＣ−１”と、座標（ｘ５２，ｙ５２）に対応する空調機の識別番号は“ＡＣ−２”と対応付ける。
【００４６】
なお、このような方法で部屋名と設備画像との位置を対応付ける場合、各位置は、部屋名の領域やアイコン画像の左上の角ではなく中心点の座標で示すようにするのが好適である。
【００４７】
設置場所“ホワイエ”に関しては、“空調機”以外の設備種は設備表に登録されていないので（ステップ１１６でＹ）、次の未処理の設置場所に処理を移行する。
【００４８】
本実施の形態においては、以上のようにして各設置場所の各設備に対して識別番号を対応付ける。そして、全ての設置場所に対して前述した処理を行うと（ステップ１１４でＮ）、設備マップ生成部１４は、各設備の設置位置に対応付けられた識別番号が記載された設備マップを生成し（ステップ１２１）、生成した設備マップを設備マップ記憶部１９に保存する。
【００４９】
以上のようにして設備マップが生成されると、設備マップ出力部１６は、設備マップを出力する。出力先としては、ディスプレイ３７、ＨＤＤ３４、あるいはネットワーク３を介して設備管理システム２など他の装置へ送信してもよい。送信方法は、電子メールなど種々の方法を利用してよい。
【００５０】
図１０は、以上のようにして生成された設備マップの表示例を示す図である。図１０に示すように、各設備には識別番号が対応付けして表示される。図１０に示す表示例によると、識別番号は、部屋を仕切る線と重ならないように設備画像の下若しくは右下に位置付けされているが、設備との対応関係がわかれば、その位置はこれに限る必要はない。また、本実施の形態では、見取図と同様に設備画像を表示したが、例えば、設備画像の表示形態を変えてもよい。例えば、表示色を薄くし、その設備画像に重畳させて識別番号が表示されるようにしてもよい。あるいは、設備画像を省略して、設備画像の表示位置に識別番号が表示されるようにしてもよい。
【００５１】
ところで、本実施の形態において設備マップを生成する際、見取り図上における部屋名の位置と設備の位置との位置関係に基づき、設備と識別番号とを対応付けるようにした。より詳細には、部屋名の記載位置に最近に設置されている設備を抽出するようにした。ただ、例えば、見取図において部屋名が部屋の中心に記載されているとは限らず、偏った位置に記載される場合もある。また、設備が部屋の中心ではなく隣室との間の壁近傍に設置される場合もある。このような見取図を想定すると、部屋名の位置と設備の位置との位置関係から設備と識別番号とが常に正しく対応付けられるとは言い切れない。
【００５２】
そこで、このような不具合をより解消しやすいように、設備マップを生成する際、ステップ１１３において設備表から設置場所を読み出す順番に優先順位を付けるようにしてもよい。
【００５３】
例えば、設備表から同一種の設備が１つのみしかない設置場所から優先的に処理を行う。部屋と設備とが１対１の関係となる場合、見取図において部屋名とアイコン画像とは近い位置関係にあると考えられるからである。
【００５４】
また、ステップ１１９においては、部屋名と設備とを対応付ける際、部屋名の位置に近い設備を抽出するようにした。これは、部屋名の位置（座標）を中心とした円を拡げながら設備を探索するような処理に等しい。ただ、建物内における会議室や応接室等部屋の多くは、見取り図上、矩形領域で表される。従って、見取図から矩形領域を抽出し、ステップ１１９において設備座標情報の中から設備の座標を抽出する際、部屋名を囲む矩形領域内にある設備の座標のみを抽出対象と絞り込むようにしてもよい。
【００５５】
あるいは、ホワイエのように矩形領域で範囲を特定できないような場所も存在しうるが、前述した場所を矩形領域で特定できる部屋から優先的に処理するようにしてもよい。そして、ホワイエのように矩形領域で範囲が特定できない場所は、その後に処理することで誤って対応付けてしまう確率を下げるようにしてもよい。
【００５６】
本実施の形態においては、以上のようにして設備マップを自動生成するが、それでもなお設備と識別番号との対応付けを正確にできない場合も想定しうる。そのため、本実施の形態では、編集部１５を設けている。すなわち、編集部１５は、設備と識別番号との対応付けが正しくない場合、その対応付けを編集により設備マップ生成部１４が生成した設備マップを修正できるようにした。
【００５７】
なお、本実施の形態では、設備マップ生成装置１を単体の装置で形成するようにしたが、複数のコンピュータで実現してもよいし、設備マップ生成装置１の構成要素の全部又は一部を設備管理システム２等他の装置に組み入れて構成してもよい。
【符号の説明】
【００５８】
１  設備マップ生成装置、２  設備管理システム、３  ネットワーク、１１  見取図取得部、１２  部屋名座標抽出部、１３  設備座標抽出部、１４  設備マップ生成部、１５  編集部、１６  設備マップ出力部、１７  部屋名座標情報記憶部、１８  設備座標情報記憶部、１９  設備マップ記憶部、２１  見取図記憶部、２２  設備表記憶部、２３  設備画像情報記憶部、３１  ＣＰＵ、３２  ＲＯＭ、３３  ＲＡＭ、３４  ハードディスクドライブ（ＨＤＤ）、３５  マウス、３６  キーボード、３７  ディスプレイ、３８  入出力コントローラ、３９  ネットワークインタフェース（ＩＦ）、４０  内部バス。
【図１】
2019133259.tif 000003
【図２】
2019133259.tif 000004
【図３】
2019133259.tif 000005
【図４】
2019133259.tif 000006
【図５】
2019133259.tif 000007
【図６】
2019133259.tif 000008
【図７】
2019133259.tif 000009
【図８】
2019133259.tif 000010
【図９】
2019133259.tif 000011
【図１０】
2019133259.tif 000012